(57)【要約】【課題】動力を用いない簡素な構成により、使用者が一人で容易にチルト角度を変更することが可能なスタンドおよびテレビジョン装置を提供する。【解決手段】アーム３０の脚部３１を、シャフト２０を中心として回動可能とし、この脚部３１から屈曲して設けた胴部３２に下部ネジ孔３２Ａおよび上部ネジ孔３２Ｂを設けると共に本体部を固定する。ホルダー４０の下部４１をベースプレート１０上に設置し、この下部４１から第１角度θ１＝０度で立設した中部４２に下部ネジ孔３２Ａに対応する第１ネジ孔４２Ａを設け、中部４２の上端から第２角度＝５度で設けた上部４３に上部ネジ孔３２Ｂに対応する第２ネジ孔４３Ａを設ける。アーム３０の脚部３１の回動により、アーム３０の胴部３２をホルダーの中部４２または上部４３のいずれかに当接させて固定し、胴部３２に固定した本体部のチルト角度を切り替える。【選択図】図５
2011160130.tif 000002
【特許請求の範囲】
【請求項１】
底面部および前記底面部から上方に突出した一対の軸受部を有する基礎部材と、
前記一対の軸受部の間に架設された軸部材と、
前記軸部材により前記一対の軸受部に対して回動可能に固定された脚部、および前記脚部から屈曲して設けられると共に下部ネジ孔および上部ネジ孔を有し、支持対象物に固定される胴部を有する腕部材と、
前記底面部の上に設けられた下部、前記下部から第１角度で立設されると共に前記下部ネジ孔に対応する第１ネジ孔を有する中部、および前記中部の上端から第２角度で設けられると共に前記上部ネジ孔に対応する第２ネジ孔が設けられた上部を有する受け部材と
を備えたスタンド。
【請求項２】
前記受け部材の中部は、前記腕部材の胴部が前記第１角度にある場合に前記腕部材の胴部の下端を載せる階段状の座を有する
請求項１記載のスタンド。
【請求項３】
前記受け部材の下部は、前記腕部材の胴部が前記第１角度にある場合に前記脚部の下辺を載せる第１凸部を有し、
前記基礎部材の底面部は、前記腕部材の胴部が前記第１角度にある場合に前記脚部の下辺を載せる第２凸部を有する
請求項２記載のスタンド。
【請求項４】
前記腕部材は、前記脚部の下辺から側方に突出した耳片を有し、
前記耳片は、前記腕部材の胴部が前記第２角度にある場合に前記受け部材の下部に面接触する
請求項２または３記載のスタンド。
【請求項５】
前記腕部材の胴部は、前記上部ネジ孔近傍にダボを有し、
前記受け部材の上部は、前記腕部材の胴部が前記第２角度にある場合に前記ダボが嵌まり込む孔を有する
請求項４記載のスタンド。
【請求項６】
前記受け部材は、前記中部の背面側に突出すると共に前記底面部に固定された補助固定部を有する
請求項５記載のスタンド。
【請求項７】
前記第１角度は鉛直方向（０度）であり、前記第２角度は鉛直方向から傾斜した角度である
請求項６記載のスタンド。
【請求項８】
画像表示のための平板状の本体部および前記本体部を支持対象物とするスタンドを備え、
前記スタンドは、
底面部および前記底面部から上方に突出した一対の軸受部を有する基礎部材と、
前記一対の軸受部の間に架設された軸部材と、
前記軸部材により前記一対の軸受部に対して回動可能に固定された脚部、および前記脚部から屈曲して設けられると共に下部ネジ孔および上部ネジ孔が設けられ、支持対象物に固定される胴部を有する腕部材と、
前記底面部の上に設けられた下部、前記下部から第１角度で立設されると共に前記下部ネジ孔に対応する第１ネジ孔を有する中部、および前記中部の上端から第２角度で設けられると共に前記上部ネジ孔に対応する第２ネジ孔が設けられた上部を有する受け部材と
を備えたテレビジョン装置。
【発明の詳細な説明】
【技術分野】
【０００１】
本発明は、薄型テレビジョン装置に好適なスタンドおよびこのスタンドを備えたテレビジョン装置に関する。
【背景技術】
【０００２】
近年、液晶，プラズマ，有機ＥＬ（Electroluminescence）などのフラットパネル表示装置を用いた薄型テレビジョン装置が、テレビジョン装置の主流になりつつある。このような薄型テレビジョン装置には、平板状の表示部本体をスタンドにより支持するモデルが多い（例えば、特許文献１参照。）。
【先行技術文献】
【特許文献】
【０００３】
【特許文献１】特開２００７−２３４５８１号公報（図３３）
【発明の概要】
【発明が解決しようとする課題】
【０００４】
薄型テレビジョンの普及が進む中で、スタンドには、本体を横方向回転させるスイーベル機構や、本体を縦方向（上下方向）に首振り動作させるチルト機構などをつけることが求められている。従来の一般的なチルト機構は、ヒンジと呼ばれる組み上げられた部品を使用し、摩擦力によってその角度を維持する構成となっていた。しかし、このようなヒンジ機構の使用は小型モデルに止まっており、大型モデルではチルト機構がついていなかった。その理由は、使用者が一人でチルト角度を変更するのが難しいこと、大型モデルでは本体が重くなり、強度が必要となるので、部品構成が複雑となること、モーターなどの動力を使用するとコストが増大してしまうこと、などであった。
【０００５】
本発明はかかる問題点に鑑みてなされたもので、その目的は、動力を用いない簡素な構成により、使用者が一人で容易にチルト角度を変更することが可能なスタンドおよびテレビジョン装置を提供することにある。
【課題を解決するための手段】
【０００６】
本発明によるスタンドは、以下の（Ａ）〜（Ｄ）の構成要素を備えたものである。
（Ａ）底面部および底面部から上方に突出した一対の軸受部を有する基礎部材
（Ｂ）一対の軸受部の間に架設された軸部材
（Ｃ）軸部材により一対の軸受部に対して回動可能に固定された脚部、および脚部から屈曲して設けられると共に下部ネジ孔および上部ネジ孔を有し、支持対象物に固定される胴部を有する腕部材
（Ｄ）底面部の上に設けられた下部、下部から第１角度で立設されると共に下部ネジ孔に対応する第１ネジ孔を有する中部、および中部の上端から第２角度で設けられると共に上部ネジ孔に対応する第２ネジ孔が設けられた上部を有する受け部材
【０００７】
本発明によるテレビジョン装置は、画像表示のための平板状の本体部および本体部を支持対象物とするスタンドを備え、スタンドは、上記本発明のスタンドにより構成されたものである。
【０００８】
本発明のスタンドまたは本発明のテレビジョン装置では、腕部材の脚部が軸部材を中心として回動することにより、この脚部から屈曲して設けられた胴部の傾斜角度が変化し、受け部材の中部または上部のいずれかに当接する。腕部材の胴部が受け部材の中部に当接する場合には、下部ネジ孔と第１ネジ孔とを用いて腕部材の胴部を第１角度に固定することが可能となる。一方、腕部材の胴部が受け部材の上部に当接する場合には、上部ネジ孔と第２ネジ孔とを用いて腕部材の胴部を第２角度に固定することが可能となる。これにより、腕部材の胴部に固定された支持対象物としての本体部の傾斜角度が変更される。
【発明の効果】
【０００９】
本発明のスタンド、または本発明のテレビジョン装置によれば、腕部材の脚部を、軸部材を中心として回動可能とし、この脚部から屈曲して設けた胴部に下部ネジ孔および上部ネジ孔を設けると共に支持対象物としての本体部を固定する一方、受け部材の下部を基礎部材の上に設置し、この下部から第１角度で立設した中部に下部ネジ孔に対応する第１ネジ孔を設け、中部から第２角度で設けた上部に上部ネジ孔に対応する第２ネジ孔を設けるようにしたので、腕部材の脚部の回動により、腕部材の胴部を受け部材の中部または上部のいずれかに当接させて固定し、腕部材の胴部に固定した支持対象物としての本体部の傾斜角度を切り替えることが可能となる。よって、動力を用いることなく、使用者が一人で容易に本体部のチルト角度を変更することが可能となる。
【図面の簡単な説明】
【００１０】
【図１】本発明の一実施の形態に係るテレビジョン装置の外観を表す斜視図である。
【図２】図１に示したスタンドの全体構成を表す斜視図である。
【図３】図２に示したホルダーを背面側から見た斜視図である。
【図４】図２に示したアームの胴部が０度にある場合の斜視図である。
【図５】図２に示したアームの胴部が５度にある場合の斜視図である。
【図６】図２に示したアームの胴部のダボおよびホルダーの上部の孔を説明するための斜視図である。
【図７】０度から５度に変更する際のスタンドの動きを説明するための図である。
【図８】５度から０度に変更する際のスタンドの動きを説明するための図である。
【図９】本体部の傾斜角度を０度から５度に変更した場合の本体部下端の移動量を従来と比較して表す図である。
【図１０】従来のチルト機構において本体部の傾斜角度を０度から５度に変更した場合の本体部全体の移動の様子を表す図である。
【発明を実施するための形態】
【００１１】
以下、本発明の実施の形態について図面を参照して詳細に説明する。
【００１２】
図１は、本発明の一実施の形態に係るテレビジョン装置の外観を表したものである。このテレビジョン装置１は、画像表示のための平板状の本体部２をスタンド３により支持して棚や台などの水平面に載置するようにした据置型の薄型テレビジョン装置である。
【００１３】
本体部２は、液晶，プラズマ，有機ＥＬ，無機ＥＬ，エレクトロデポジションもしくエレクトロクロミックなどの表示素子を用いた平板状の表示パネル２Ａを、樹脂または金属などよりなる筐体２Ｂに収容したものである。使用者は筐体２Ｂの前面の開口２Ｃから表示パネル２Ａに表示された画像を視ることが可能となっている。
【００１４】
スタンド３は、本体部２を立てた状態、すなわち表示パネル２Ａを使用者側に向けた状態で、本体部２の背面から下方にかけて支持する立設装置であり、例えば、樹脂または金属などよりなる逆Ｔ字状の外装部材３Ａに収容されている。このスタンド３は、例えば、本体部２を矢印Ｒ１方向に横方向回転させるスイーベル動作と、本体部２を矢印Ｒ２方向に縦方向（上下方向）に首振りさせるチルト動作とを可能にするものであるが、以下ではスイーベル動作Ｒ１については省略し、主としてチルト動作Ｒ２について説明する。
【００１５】
図２は、図１に示したスタンド３の外装部材３Ａを取り外して、内部構成を表したものである。スタンド３は、上述した本体部２のチルト動作Ｒ２を可能とするものであり、例えば、ベースプレート（基礎部材）１０にシャフト（軸部材）２０によりＬ字形のアーム（腕部材）３０が回動可能に固定され、アーム３０の背面がホルダー（受け部材）４０で支えられた構成を有している。これにより、このテレビジョン装置１では、動力を用いない簡素な構成のスタンド３により、使用者が一人で容易にチルト角度を変更することが可能となっている。
【００１６】
ベースプレート１０は、スタンド３の底面をなす部品、すなわちスタンド３の土台となるものであり、例えば、長辺の二つの角を切り取った略矩形・平板状の底面部１１を有している。底面部１１の表面には、シャフト２０，アーム３０およびホルダー４０等の各種部品またはプリント配線基板などを配設するための配設部が凹凸により区画され、適宜ネジ孔が設けられている。
【００１７】
この底面部１１には、上方に突出した一対の軸受部１２が設けられている。この軸受部１２は、例えば、底面部１１に矩形の三辺をなす形状の切れ目を入れ、その部分を上方に折り曲げることにより形成されたものである。
【００１８】
シャフト２０は、一対の軸受部１２の間に架け渡され、本体部２のチルト動作Ｒ２の回転中心においてベースプレート１０とアーム３０とを関係づける円筒状部品である。
【００１９】
アーム３０は、支持対象物としての本体部２を固定するための部品であると共に、ベースプレート１０およびシャフト２０を介して本体部２のチルト動作Ｒ２を行うものである。アーム３０は、例えば、底面部１１の表面に対してほぼ水平な一対（２本）の脚部３１と、この脚部３１から上方に屈曲した胴部３２とを有している。
【００２０】
脚部３１は、シャフト２０により一対の軸受部１２に対して回動可能に固定されており、脚部３１の回動に伴って胴部３２の鉛直方向に対する傾斜角度が変化するようになっている。脚部３１の下辺３１Ａは、胴部３２の傾斜角度が最大になった場合（後述する第２角度θ２となった場合）に後述するホルダー４０の下部４１に接触し、それ以外の場合にはホルダー４０の下部４１とは離間している。
【００２１】
胴部３２は、２本の脚部３１の間を連結する平坦な板状であり、例えば、脚部３１の下辺３１Ａに対して（９０度＋胴部３２の最大傾斜角度、すなわち９０度＋後述する第２角度θ２）の角度で屈曲して設けられている。胴部３２の両側には一対の翼部３３が設けられており、この翼部３３に支持対象物としての本体部２の筐体２Ｂの背面が固定されている。翼部３３は胴部３２に対して平行に設けられているので、胴部３２の傾斜角度と本体部２の傾斜角度は等しくなる。なお、本体部２の大きさや重量によっては必ずしも翼部３３を設ける必要はなく、胴部３２に直接本体部２の筐体２Ｂの裏面を固定してもよい。
【００２２】
図３は、ホルダー４０を背面側から視た構成を表したものである。ホルダー４０は、アーム３０を固定してスタンド３全体に強度を持たせるための部品である。ホルダー４０は、下部４１において底面部１１に接しており、この下部４１から中部４２が第１角度θ１、例えば鉛直方向（０度）で立設されている。更に、中部４２の上端からは、上部４３が第２角度θ２、例えば鉛直方向から５度傾斜した角度で設けられている。なお、下部４１は後述するように底面部１１に完全に固定されてはおらず、底面部１１上を水平方向に往復移動可能となっている。
【００２３】
また、ホルダー４０は、中部４２の背面側に突出する補助固定部４４を有し、この補助固定部４４において底面部１１にビス４４Ａにより固定されていることが好ましい。ビス固定を増やすことにより、更に強度を向上させることが可能となるからである。特に、デザイン的な制約でアーム３０やホルダー４０の幅が狭くなり、十分な強度を持たせることが難しい場合、あるいは、より確実な固定が必要な場合などに有利である。
【００２４】
これらベースプレート１０，アーム３０およびホルダー４０は、スタンド３に、重量のある大型の本体部２を支持するに十分な強度を持たせるため、例えば厚みが１．５〜２．０ｍｍ程度であり、鉄により構成されていることが望ましい。また、スタンド３の強度は、アーム３０の胴部３２を支えるホルダー４０の面積および本体部２を固定する翼部３３の面積を十分に大きくすること、補助固定部４４など多数のネジ固定箇所を設けることのほか、後述するホルダー４０の中部４２の座４２Ｂ，ホルダー４０の下部４１の第１凸部４１Ａ，ベースプレート１０の底面部１１の第２凸部１１Ａ，および脚部３１の下辺３１Ａの耳片３１Ｄなどによっても担保されている。
【００２５】
図４は、アーム３０の胴部３２が第１角度θ１＝０度にある場合の、ベースプレート１０、シャフト２０，アーム３０およびホルダー４０の位置関係を表したものである。アーム３０の胴部３２には、下部ネジ孔３２Ａおよび上部ネジ孔３２Ｂが設けられている。ホルダー４０の中部４２には、下部ネジ孔３２Ａに対応する第１ネジ孔４２Ａが設けられている。ホルダー４０の上部４３には、上部ネジ孔３２Ｂに対応する第２ネジ孔４３Ａが設けられている。
【００２６】
アーム３０の胴部３２が第１角度θ１＝０度にある場合には、アーム３０の胴部３２はホルダー４０の中部４２に当接し、ベースプレート１０に対して垂直になっている。このとき、脚部３１の下辺３１Ａとホルダー４０の下部４１とは離間し、両者の間に隙間が生じている。
【００２７】
この状態で、下部ネジ孔３２Ａと第１ネジ孔４２Ａとを用いてアーム３０の胴部３２をホルダー４０の中部４２にネジ５０で固定することにより、十分な強度を持った状態でアーム３０の胴部３２を第１角度θ１＝０度に固定することが可能となる。これにより、胴部３２に固定された本体部２も、第１角度θ１＝０度に固定される。
【００２８】
また、ホルダー４０の中部４２は、アーム３０の胴部３２が第１角度θ１＝０度にある場合にアーム３０の胴部３２の下端を載せる階段状の座４２Ｂを有することが好ましい。より確実な強度を持たせることが可能となるからである。
【００２９】
更に、ホルダー４０の下部４１は、アーム３０の胴部３２が第１角度θ１＝０度にある場合に脚部３１の下辺３１Ａを載せる第１凸部４１Ａを有し、ベースプレート１０の底面部１１は、アーム３０の胴部３２が第１角度θ１＝０度にある場合に脚部３１の下辺３１Ａを載せる第２凸部１１Ａを有することが好ましい。このように、アーム３０を、ホルダー４０の中部４２の座４２Ｂ，ホルダー４０の下部４１の第１凸部４１Ａ，およびベースプレート１０の底面部１１の第２凸部１１Ａの三箇所で支持することにより、更に確実な強度を持たせることが可能となる。なお、アーム３０は、必要に応じて、脚部３１の下辺に第１凹部３１Ｂおよび第２凹部３１Ｃを有していてもよい。
【００３０】
ホルダー４０の下部４１は、長孔４１Ｂおよびこの長孔４１Ｂに挿通されたガイド用突起４１Ｃにより、ベースプレート１０の底面部１１に対して長孔４１Ｂの長手方向に往復移動可能に固定されている。また、ホルダー４０の下部４１は所望の位置でカシメ等の方法によりベースプレート１０の底面部１１に固定可能となっている。これにより、ホルダー４０は、アーム３０の回動変位に対応して底面部１１上で水平移動すると共に、所望の位置および角度でアーム３０を確実に支えることが可能となっている。
【００３１】
図５は、アーム３０の胴部３２が第２角度θ２＝５度にある場合の、ベースプレート１０、シャフト２０，アーム３０およびホルダー４０の位置関係を表したものである。
【００３２】
アーム３０の胴部３２が第２角度θ２＝５度にある場合には、アーム３０の胴部３２はホルダー４０の上部４３に当接し、ベースプレート１０に対して８５度の角度を持った状態となっている。このとき、脚部３１の下辺３１Ａはホルダー４０の下部４１に接触している。
【００３３】
この状態で、上部ネジ孔３２Ｂと第２ネジ孔４３Ａとを用いてアーム３０の胴部３２をホルダー４０の上部４３にネジ５０で固定することにより、十分な強度を持った状態でアーム３０の胴部３２を第２角度θ２＝５度に固定することが可能となる。これにより、胴部３２に固定された本体部２も、第２角度θ２＝５度に固定される。
【００３４】
更に、アーム３０は、脚部３１の下辺３１Ａから側方に突出した耳片３１Ｄを有し、この耳片３１Ｄは、アーム３０の胴部３２が第２角度θ２＝５度にある場合にホルダー４０の下部４１に面接触することが好ましい。脚部３１の下辺３１Ａのみでホルダー４０の下部４１に線接触する場合に比べて、より確実な強度を持たせることが可能となるからである。
【００３５】
図６は、アーム３０の胴部３２が第２角度θ２＝５度にある場合にアーム３０およびホルダー４０を背面側から見た構成を表したものである。アーム３０の胴部３２は、上部ネジ孔３２Ａ近傍にダボ３２Ｃを有し、ホルダー４０の上部４３は、アーム３０の胴部３２が第２角度θ２＝５度にある場合にダボ３２Ｃが嵌まり込む孔４３Ｂを有することが好ましい。使用者がチルト作業を行う際に、角度が決まったことを使用者が確認しやすくなり、操作感の向上が可能となる。また、必要に応じてダボ３２Ｃおよび孔４３Ｂのサイズを設定することにより、アーム３０のがたつきを規制し、本体部２のチルト角度の安定性を高めることも可能となる。ダボ３２Ｃおよび孔４３Ｂは、例えば、上部ネジ孔３２Ａと同じ高さ位置に、上部ネジ孔３２Ａに関して対称な位置に（例えば、両側に）同数ずつ（例えば、一つずつ）設けられていることが望ましい。
【００３６】
また、ホルダー４０の背面には、第１ネジ孔４２Ａの近傍および第２ネジ孔４３Ａの近傍に、本体部２のチルト角度を指示するイラスト等のマーク４２Ｃ，４３Ｃが設けられていることが望ましい。これにより、使用者の利便性、操作の効率などを向上させることが可能となる。
【００３７】
このテレビジョン装置１では、例えば次のようにして本体部２のチルト動作Ｒ２を行うことができる。
【００３８】
図７は、アーム３０の胴部３２を第１角度θ１＝０度から第２角度θ２＝５度に変更する際のスタンド３の動きを表したものである。まず、図７（Ａ）に示したように、アーム３０の胴部３２を第１角度θ１＝０度にした状態で、（１）ネジ５０を外す。次いで、（２）アーム３０の胴部３２を押さえる。続いて、（３）ホルダー４０を矢印Ａ１方向（紙面の右方向）に移動させる。
【００３９】
これにより、図７（Ｂ）に示したように、（４）アーム３０が第２角度θ２＝５度の位置に移動し、アーム３０の胴部３２がホルダー４０の上部４３に当接する。そののち、（５）ネジ５０を締めて、アーム３０の胴部３２をホルダー４０の上部４３に固定する。これにより、胴部３２に固定された本体部２も、第２角度θ２＝５度に固定される。
【００４０】
図８は、アーム３０の胴部３２を第２角度θ２＝５度から第１角度θ１＝０度に変更する際のスタンド３の動きを表したものである。まず、図８（Ａ）に示したように、アーム３０の胴部３２を第２角度θ２＝５度にした状態で、（１）ネジ５０を外す。次いで、（２）アーム３０の胴部３２を矢印Ａ２方向（紙面の左方向）に押す。続いて、（３）ホルダー４０を矢印Ａ３方向（紙面の左方向）に移動させる。
【００４１】
これにより、図８（Ｂ）に示したように、（４）アーム３０が第１角度θ１＝０度の位置に移動し、アーム３０の胴部３２がホルダー４０の中部４２に当接する。そののち、（５）ネジ５０を締めて、アーム３０の胴部３２をホルダー４０の中部４２に固定する。これにより、胴部３２に固定された本体部２も、第１角度θ１＝０度に固定される。
【００４２】
このテレビジョン装置１では、アーム３０の脚部３１がシャフト２０を中心として回動することにより、この脚部３１から屈曲して設けられた胴部３２の傾斜角度が変化し、ホルダー４０の中部４２または上部４３のいずれかに当接する。アーム３０の胴部３２がホルダー４０の中部４２に当接する場合には、下部ネジ孔３２Ａと第１ネジ孔４２Ａとを用いてアーム３０の胴部３２を第１角度θ１＝０度に固定することが可能となる。一方、アーム３０の胴部３２がホルダー４０の上部４３に当接する場合には、上部ネジ孔３２Ｂと第２ネジ孔４３Ａとを用いてアーム３０の胴部３２を第２角度θ２＝５度に固定することが可能となる。これにより、アーム３０の胴部３２に固定された支持対象物としての本体部２のチルト角度が第１角度θ１＝０度または第２角度θ２＝５度のいずれかに変更される。
【００４３】
図９（Ａ）は、本体部２の傾斜角度を第１角度θ１＝０度から第２角度θ２＝５度に変更した場合の、本体部２の下端の移動量を調べたシミュレーション結果である。本実施の形態では、本体部２の移動量は、奥行き方向ΔＤ１＝３ｍｍ、高さ方向ΔＨ１＝０ｍｍとなった。
【００４４】
図９（Ｂ）は、従来のヒンジ機構によるスタンド１０３を用いた場合に、本体部１０２を同様に０度から５度に傾けたときの本体部１０２の下端の移動量を調べたシミュレーション結果である。従来のヒンジ機構によるスタンド１０３では、本体部１０２の移動量は、奥行き方向ΔＤ２＝９ｍｍ、高さ方向ΔＨ２＝５．３ｍｍとなった。
【００４５】
図９（Ａ）および図９（Ｂ）から分かるように、本実施の形態では、従来のヒンジ機構を用いたスタンド１０３に比べて、本体部２の下端の移動量ΔＤ１，ΔＨ１が極めて小さくなっていた。これは、本実施の形態ではチルト回転中心Ｃ１を本体部２の真下におくことが可能となるからである。これに対して、従来では、図１０に示したように、チルト回転中心Ｃ２は本体部１０２とスタンド１０３との接合部位となるので、本体部１０２の上端および下端の移動量が著しく大きくなってしまう。
【００４６】
このように本実施の形態では、アーム３０の脚部３１を、シャフト２０を中心として回動可能とし、この脚部３１から屈曲して設けた胴部３２に下部ネジ孔３２Ａおよび上部ネジ孔３２Ｂを設けると共に支持対象物としての本体部２を固定する一方、ホルダー４０の下部４１をベースプレート１０の上に設置し、この下部４１から第１角度θ１＝０度で立設した中部４２に下部ネジ孔３２Ａに対応する第１ネジ孔４２Ａを設け、中部４２から第２角度θ２＝５度で設けた上部４３に上部ネジ孔３２Ｂに対応する第２ネジ孔４３Ａを設けるようにしたので、アーム３０の脚部３１の回動により、アーム３０の胴部３２をホルダーの中部４２または上部４３のいずれかに当接させて固定し、アーム３０の胴部３２に固定した支持対象物としての本体部２のチルト角度を切り替えることが可能となる。よって、モーターなどの動力を用いることなく、使用者が一人で容易に本体部２のチルト角度を変更することが可能となる。
【００４７】
また、スタンド３は、ベースプレート１０，シャフト２０，アーム３０およびホルダー４０からなる簡素な構成を有し、部品点数が極めて少なく低コストであるにもかかわらず、十分な強度をもってチルト角度を変更することが可能となる。よって、大型テレビジョン装置のように本体部２が重くなる場合にも十分な強度が得られ、従来のヒンジ機構のような複雑な部品構成は不要となり、簡単な作業で本体部２のチルト動作Ｒ２が可能となる。また、ヒンジやモーターなどの複雑で高価な部品を用いる必要もなくなり、スタンド３の低コスト化も可能となる。
【００４８】
更に、チルト動作Ｒ２の回転中心Ｃ１を本体部２の真下におくことが可能となるので、本体部２の移動量を極めて小さくすることが可能となる。よって、チルト動作Ｒ２により本体部２とスタンド３とのデザイン的な調和が損なわれるおそれが小さくなる。
【００４９】
加えて、各部品の公差の累積によるスタンド３の傾きを吸収して最終的な微調整を行うことにより、スタンド３のチルト角度のずれやスタンド３の傾きを最小にすることが可能となる。例えば、上記実施の形態では、本体部２のチルト角度を第１角度θ１＝０度または第２角度θ２＝５度のいずれかに切り替える場合について説明したが、最終的な微小なチルト角度調整は、例えば、ホルダー４０の中部４２の階段状の座４２Ｂ、ホルダー４０の下部４２の第１凸部４１Ａ、ベースプレート１０の底面部１１の第２凸部１１Ａ、またはアーム３０の脚部３１の耳片３１Ａの高さを調整することにより行うことが可能である。このような角度の微調整は、例えば、金型の微調整により容易に行える。
【００５０】
以上、実施の形態を挙げて本発明を説明したが、本発明は上記実施の形態に限定されるものではなく、種々の変形が可能である。例えば、上記実施の形態では、説明を簡単にするために、アーム３０の胴部３２を第１角度θ１＝０度および第２角度θ２＝５度で切り替える場合を例として説明したが、どのような角度のチルト動作Ｒ２についても同じ仕組みで実現することが可能である。
【符号の説明】
【００５１】
１…テレビジョン装置、２…本体部、２Ａ…表示パネル、２Ｂ…筐体、２Ｃ…開口、３…スタンド、３Ａ…外装部材、１０…ベースプレート（基礎部材）、１１…底面部、１１Ａ…第２凸部、１２…軸受部、２０…シャフト（軸部材）、３０…アーム（腕部材）、３１…脚部、３１Ａ…下辺、３１Ｄ…耳片、３２…胴部、３２Ａ…下部ネジ孔、３２Ｂ…上部ネジ孔、３２Ｃ…ダボ、３３…翼部、４０…ホルダー（受け部材）、４１…下部、４１Ａ…第１凸部、４２…中部、４２Ａ…第１ネジ孔、４２Ｂ…座、４２Ｃ，４３Ｃ…マーク、４３…上部、４３Ａ…第２ネジ孔、４３Ｂ…孔、４４…補助固定部、４４Ａ…ビス、Ｒ１…スイーベル動作、Ｒ２…チルト動作。
【図１】
2011160130.tif 000003
【図２】
2011160130.tif 000004
【図３】
2011160130.tif 000005
【図４】
2011160130.tif 000006
【図５】
2011160130.tif 000007
【図６】
2011160130.tif 000008
【図７】
2011160130.tif 000009
【図８】
2011160130.tif 000010
【図９】
2011160130.tif 000011
【図１０】
2011160130.tif 000012